(57)【特許請求の範囲】
【請求項１】
断面Ｈ字状又はコ字状をした金属製の下階の梁の上面部に長手方向にわたって木質の梁上木材を固着し、金属製の縦枠の上端部と下端部とにそれぞれ固定片を設け、縦枠の下端部の固定片を下階の梁の梁上木材の長手方向の任意の位置に釘、木ねじ等の打ち込み具により固着して一対の縦枠を任意の間隔を介して下階の梁の梁上木材の長手方向の任意の位置に固着し、断面Ｈ字状又はコ字状をした金属製の上階の梁の下のフランジ部に窓枠金具の引掛け片を引っ掛け係止して一対の窓枠金具を任意の間隔を隔てて上階の梁の下のフランジ部の長手方向の任意の位置に取付け、一対の窓枠金具にそれぞれ設けた連結片に一対の縦枠の上端部の固定片をボルトにより固着し、一対の縦枠に窓枠サッシを取付けて成ることを特徴とする梁への窓枠サッシの取付け構造。
【請求項２】
コ字状をした引っ掛け片の下横片の突出先端からＬ状をした連結片を下横片の突出方向に向けて一体に突設して窓枠金具を形成し、水平断面Ｌ状をした縦枠の側片の上端部及び下端部を横方向に折り返してそれぞれ横向きとなった固定片を形成し、縦枠の前片の上端部を上の固定片よりも上方に突出して上当たり片部とすると共に縦枠の前片の下端部を下の固定片よりも下方に突出して下当たり片部とし、縦枠の前片の上当たり片部を上階の梁の下のフランジ部の屋外側の縁部に当接すると共に縦枠の前片の下当たり片部を下階の梁の梁上木材の外側面に当接した状態で縦枠の下端部の固定片を下階の梁の梁上木材の上面に載設して打ち込み具により固着し、上階の梁の下のフランジ部の屋内側から引っ掛け片を引っ掛け係止した窓枠金具の連結片に縦枠の上の固定片をボルトにより固着して成ることを特徴とする請求項１記載の梁への窓枠サッシの取付け構造。
【請求項３】
一対の縦枠に矩形状をした木製の窓枠下地枠を介して窓枠サッシを取付けて成ることを特徴とする請求項１又は請求項２記載の梁への窓枠サッシの取付け構造。
【発明の詳細な説明】
【０００１】
【発明の属する技術分野】
本発明は、金属製の梁に窓枠サッシを取付けるための技術に関するものである。
【０００２】
【従来の技術】
従来から金属の梁に市販のサッシを取付けるには金属の梁にボルト挿入孔を穿孔し、このボルト挿入孔を利用して窓枠サッシ取付け用の下地部材をボルトにより固着し、この窓枠サッシ取付け用の下地部材に窓枠サッシを取付けていた。
【０００３】
ここで、金属の梁に窓枠の横巾が異なるものを選択的に取付けるようにするため、金属の梁の長手方向に多数のボルト挿入孔を形成し、任意の横長さの窓枠サッシを取付けることができるように多数のボルト挿入孔の中から任意のボルト挿入孔を選んで窓枠サッシ取付け用の下地部材を取付けていた。また、窓枠サッシの取付け位置が金属の梁の長手方向において異なる場合も、金属の梁の長手方向の任意の位置のボルト挿入孔を選んで窓枠サッシ取付け用の下地部材を取付けていた。
【０００４】
このため、従来にあっては、金属の梁に長手方向に多数のボルト挿入孔を予め形成しておく必要があり、また、金属の梁の長手方向のあらかじめ形成しているボルト挿入孔以外の位置においては窓枠サッシを取付けることができないという問題があった。
【０００５】
【発明が解決しようとする課題】
本発明は上記の点に鑑みてなされたものであり、金属製の梁に従来のようにあらかじめ多数のボルト挿入孔を形成する加工が必要でなく、梁の長手方向の任意の位置において簡単に縦枠を取付けて、任意の横幅の窓枠サッシを梁の任意の位置に簡単に取付けることできる梁への窓枠サッシの取付け構造を提供することを課題とするものである。
【０００６】
【課題を解決するための手段】
上記課題を解決するために本発明に係る梁への窓枠サッシの取付け構造は、断面Ｈ字状又はコ字状をした金属製の下階の梁１の上面部に長手方向にわたって木質の梁上木材２を固着し、金属製の縦枠４の上端部と下端部とにそれぞれ固定片５を設け、縦枠４の下端部の固定片５を下階の梁１の梁上木材２の長手方向の任意の位置に釘、木ねじ等の打ち込み具６により固着して一対の縦枠４を任意の間隔を介して下階の梁１の梁上木材２の長手方向の任意の位置に固着し、断面Ｈ字状又はコ字状をした金属製の上階の梁１の下のフランジ部７に窓枠金具８の引掛け片９を引っ掛け係止して一対の窓枠金具８を任意の間隔を隔てて上階の梁１の下のフランジ部７の長手方向の任意の位置に取付け、一対の窓枠金具８にそれぞれ設けた連結片１０に一対の縦枠４の上端部の固定片５をボルト１１により固着し、一対の縦枠４に窓枠サッシ１２を取付けて成ることを特徴とするものである。このような構成とすることで、金属製の梁１の長手方向の任意の位置に任意の間隔を隔てて一対の縦枠４を取付けて、任意の横幅の窓枠サッシ１２を任意の位置に取付けることができるものであり、しかも、縦枠４の取付けに当たっては上階の梁１の下のフランジ部７の長手方向の任意の位置に引っ掛け係止した窓枠金具８に上の固定片５をボルト１１により固定し、下階の梁１の上面部の梁上木材２の長手方向の任意の位置に釘、木ねじ等の打ち込み具６により固着することで取付けるので、金属製の梁１にボルト挿入孔など設けることなく、簡単に取付けることができることになる。
【０００７】
また、コ字状をした引っ掛け片９の下横片９ａの突出先端からＬ状をした連結片１０を下横片の突出方向に向けて一体に突設して窓枠金具８を形成し、水平断面Ｌ状をした縦枠４の側片４ａの上端部及び下端部を横方向に折り返してそれぞれ横向きとなった固定片５を形成し、縦枠４の前片４ｂの上端部を上の固定片５よりも上方に突出して上当たり片部１３とすると共に縦枠４の前片４ｂの下端部を下の固定片５よりも下方に突出して下当たり片部１４とし、縦枠４の前片４ｂの上当たり片部１３を上階の梁１の下のフランジ部７の屋外側の縁部に当接すると共に縦枠４の前片４ｂの下当たり片部１４を下階の梁１の梁上木材２の外側面に当接した状態で縦枠４の下端部の固定片５を下階の梁１の梁上木材２の上面に載設して打ち込み具６により固着し、上階の梁１の下のフランジ部７の屋内側から引っ掛け片９を引っ掛け係止した窓枠金具８の連結片１０に縦枠４の上の固定片５をボルト１１により固着することが好ましい。このような構成とすることで、縦枠４の前片４ｂの上当たり片部１３を上階の梁１の下のフランジ部７の屋外側の縁部に当接すると共に縦枠４の前片４ｂの下当たり片部１４を下階の梁１の梁上木材２の外側面に当接して縦枠４の梁１への屋内外方向の位置決めができ、また、縦枠４の前片４ｂの上当たり片部１３を上階の梁１の下のフランジ部７の屋外側の縁部に当接し、上階の梁１の下のフランジ部７の屋内側から引っ掛け片９を引っ掛け係止した窓枠金具８の連結片１０を縦枠４の上の固定片５をボルト１１により固着するので、引掛け片９と上当たり片部１３とで下のフランジ部７を挟持するように固定できて、金属製の上階の梁１の下のフランジ部７の長手方向の任意の位置にはめ込んだ窓枠金具８を簡単且つ確実に上階の梁１に取付けることができるものである。
【０００８】
また、一対の縦枠４に矩形状をした木製の窓枠下地枠１５を介して窓枠サッシ１２を取付けることが好ましい。このような構成とすることで、矩形状に枠組みされる窓枠サッシ１２の左右、上下の各枠材を矩形状の木製の窓枠下地枠１５に通常の窓枠サッシ１２のビスによる取付けと同様にして取付けることができるものである。
【０００９】
【発明の実施の形態】
以下、本発明を添付図面に示す実施形態に基づいて説明する。
【００１０】
梁１は断面Ｈ字状又はコ字状をした金属製であって、少なくとも下階の梁１は上面部である上のフランジ部の上面に木質の梁上木材２をボルト等により固着してある。
【００１１】
窓枠サッシ１２を上記梁１に取付けるための下地材となる縦枠４は金属製であって、図５に示すように、前片４ｂの一側端縁から後方に直角に側片４ａを一体に連出して縦枠４が形成してある。この水平断面Ｌ状をした縦枠４の側片４ａの上端部及び下端部を横方向に折り返してそれぞれ横向きとなった固定片５を形成してある。上下の固定片５にはそれぞれボルト挿入孔１６と釘、木ねじ等の打ち込み具６を挿入するための打ち込み具挿入孔１７とが設けてある。また、縦枠４の前片４ｂの上端部を上の固定片５よりも上方に突出して上当たり片部１３とすると共に縦枠４の前片の下端部を下の固定片５よりも下方に突出して下当たり片部１４としてある。ここで、縦枠４は上下に対称となっており、したがって、一対の縦枠４のうち一方を他方に対して上下逆にすると一対の縦枠４を図４のように対向して配置できるようになっている。
【００１２】
本発明に使用する窓枠金具８は図６に示すようなもので、コ字状をした引っ掛け片９の下横片９ａの突出先端からＬ状をした連結片１０を下横片９ａの突出方向に向けて一体に突設して構成してある。連結片１０の横片にはナット１８が固着してある。
【００１３】
一対の窓枠金具８、一対の縦枠４を用いて窓枠サッシ１２を取付けるには以下のようにして行うものである。
【００１４】
まず、一対の縦枠４をそれぞれ縦枠４の前片４ｂの上当たり片部１３を上階の梁１の下のフランジ部７の屋外側の縁部に当接すると共に縦枠４の前片４ｂの下当たり片部１４を下階の梁１の梁上木材２の外側面に当接した状態で縦枠４の下端部の固定片５を下階の梁１の梁上木材２の上面に載設して打ち込み具６により固着する。
【００１５】
一方、上階の梁１の下のフランジ部７には一対の窓枠金具８をそれぞれ上階の梁１の下のフランジ部７の長手方向の任意の位置にコ字状をした引っ掛け片９を屋内側から嵌め込んで引っ掛け係止する。
【００１６】
そして、上階の梁１の下のフランジ部７に引っ掛け係止した一対の窓枠金具８の連結片１０をそれぞれ上記一対の縦枠４の上の固定片５に上下に重ねてボルト挿入孔１６とナット１８とを上下に連通させ、この状態でボルト挿入孔１６からボルト１１を挿入してナット１８に螺合することで縦枠４の上端部を上階の梁１の下のフランジ部７に引っ掛け係止した窓枠金具８に連結するものである（図１参照）。
【００１７】
このようにして一対の縦枠４を金属製の上下階の梁１に取付けるのであるが、この場合、一対の縦枠４間の間隔は取付けようとする窓枠サッシ１２の横巾に合わせて任意に設定することができ、また、窓枠サッシ１２の取付け位置に応じて一対の縦枠４を梁１の長手方向の任意の位置に取付けることができ、取付けに当たって、釘、木ねじ等の打ち込み具６による梁上木材２への打ち込みと、窓枠金具８の下のフランジ部７への引っ掛け係止と、連結片１０と固定片５とのボルト１１による固定という簡単な手段で取付けることができるものである。
【００１８】
また、縦枠４の前片４ｂの上当たり片部１３を上階の梁１の下のフランジ部７の屋外側の縁部に当接すると共に縦枠４の前片４ｂの下当たり片部１４を下階の梁１の梁上木材２の外側面に当接して縦枠４の梁１への屋内外方向の位置決めができるものである。また、縦枠４の前片４ｂの上当たり片部１３を上階の梁１の下のフランジ部７の屋外側の縁部に当接し、上階の梁１の下のフランジ部７の屋内側から引っ掛け片９を引っ掛け係止した窓枠金具８の連結片１０に縦枠４の上の固定片５をボルト１１により固着するので、引掛け片９と上当たり片部１３とで下のフランジ部７を挟持するように固定できて、上階の梁１の下のフランジ部７に長手方向の任意の位置にはめ込んだ窓枠金具８を梁１に取付けることができるものである。
【００１９】
上記のようにして取付けられた左右一対の縦枠４には図１乃至図４に示すように、矩形状をした木製の窓枠下地枠１５を介して窓枠サッシ１２を取付ける。
【００２０】
すなわち、矩形状をした木製の窓枠下地枠１５の左右の縦桟１５ａをそれぞれ一対の縦枠４の前片４ｂの前面に当接して釘や木ねじ等の打ち込み具６により固着し、この矩形状をした木製の窓枠下地枠１５の左右の縦桟１５ａ、上下の横桟１５ｂに矩形状に枠組みされる窓枠サッシ１２の左右、上下の各枠材を通常の窓枠サッシ１２のビスによる取付けと同様にして取付けることができるものである。
【００２１】
なお、添付図面に示す実施形態では金属製の下階の梁１の上面部に木製の梁上木材２を固着すると共に金属製の上階の梁１の上面部に木製の梁上木材２を固着したものを使用したが、本発明においては少なくとも金属製の下階の梁１の上面部に木製の梁上木材２を固着したものであればよくて、金属製の上階の梁１の上面に木製の木製の梁上木材２を固着しないものであってもよい。
【００２２】
【発明の効果】
上記のように本発明の請求項１記載の発明にあっては、断面Ｈ字状又はコ字状をした金属製の下階の梁の上面部に長手方向にわたって木質の梁上木材を固着し、金属製の縦枠の上端部と下端部とにそれぞれ固定片を設け、縦枠の下端部の固定片を下階の梁の梁上木材の長手方向の任意の位置に釘、木ねじ等の打ち込み具により固着して一対の縦枠を任意の間隔を介して下階の梁の梁上木材の長手方向の任意の位置に固着し、断面Ｈ字状又はコ字状をした金属製の上階の梁の下のフランジ部に窓枠金具の引掛け片を引っ掛け係止して一対の窓枠金具を任意の間隔を隔てて上階の梁の下のフランジ部の長手方向の任意の位置に取付け、一対の窓枠金具にそれぞれ設けた連結片に一対の縦枠の上端部の固定片をボルトにより固着し、一対の縦枠に窓枠サッシを取付けてあるので、金属製の上下階の梁の長手方向の任意の位置に任意の間隔を隔てて一対の縦枠を取付けて、任意の横幅の窓枠サッシを任意の位置に取付けることができるものである。しかも、縦枠の取付けに当たっては上階の梁の下のフランジ部の長手方向の任意の位置に引っ掛け係止した窓枠金具に上の固定片をボルトにより固定し、下階の梁の上面部の梁上木材の長手方向の任意の位置に釘、木ねじ等の打ち込み具により固着することで取付けるので、金属製の梁に従来のようにボルト挿入孔など設けることなく、簡単に取付けることができるものである。
【００２３】
また、請求項２記載の発明にあっては、上記請求項１記載の発明の効果に加えて、縦枠の前片の上端部を上の固定片よりも上方に突出して上当たり片部とすると共に縦枠の前片の下端部を下の固定片よりも下方に突出して下当たり片部とし、縦枠の前片の上当たり片部を上階の梁の下のフランジ部の屋外側の縁部に当接すると共に縦枠の前片の下当たり片部を下階の梁の梁上木材の外側面に当接した状態で縦枠の下端部の固定片を下階の梁の梁上木材の上面に載設して打ち込み具により固着し、上階の梁の下のフランジ部の屋内側から引っ掛け片を引っ掛け係止した窓枠金具の連結片に縦枠の上の固定片をボルトにより固着してあるので、縦枠の前片の上当たり片部を上階の梁の下のフランジ部の屋外側の縁部に当接すると共に縦枠の前片の下当たり片部を下階の梁の梁上木材の外側面に当接することで縦枠の梁への屋内外方向の位置決めが簡単にできるものであり、また、縦枠の前片の上当たり片部を上階の梁の下のフランジ部の屋外側の縁部に当接し、上階の梁の下のフランジ部の屋内側から引っ掛け片を引っ掛け係止した窓枠金具の連結片に縦枠の上の固定片をボルトにより固着するので、引掛け片と上当たり片部とで下のフランジ部を挟持するように固定できて、上階の梁の下のフランジ部の長手方向の任意の位置にはめ込んだ窓枠金具を梁に簡単に取付けることができるものである。
【００２４】
また、請求項３記載の発明にあっては、上記請求項１又は請求項２記載の発明の効果に加えて、一対の縦枠に矩形状をした木製の窓枠下地枠を介して窓枠サッシを取付けてあるので、矩形状に枠組みされる窓枠サッシの左右、上下の各枠材を矩形状の木製の窓枠下地枠に通常の窓枠サッシのビスによる取付けと同様にして取付けることができて、窓枠サッシの取付けが通常の木製の下地枠への取付けと同様にして容易に行えるものである。
【図面の簡単な説明】
【図１】本発明の縦断面図である。
【図２】同上の図１のＸ−Ｘ線断面図である
【図３】同上の図１のＹ−Ｙ線断面図である。
【図４】同上の正面図である。
【図５】同上に用いる縦枠を示し、（ａ）は正面図であり、（ｂ）は側面図であり、（ｃ）は平面図であり、（ｄ）は底面図である。
【図６】同上に用いる窓枠金具を示し、（ａ）は平面図であり、（ｂ）は側面図である。
【符号の説明】
１  梁
２  梁上木材
４  縦枠
５  固定片
６  打ち込み具
７  フランジ部
８  窓枠金具
９  引っ掛け片
１０  連結片
１１  ボルト
１２  窓枠サッシ
１３  上当たり片部
１４  下当たり片部
１５  窓枠下地枠
【図１】
0003974812.tif 000002
【図２】
0003974812.tif 000003
【図３】
0003974812.tif 000004
【図４】
0003974812.tif 000005
【図５】
0003974812.tif 000006
【図６】
0003974812.tif 000007